(57)【要約】【課題】      ショルダ−ベルトの両端に取り付けた係止部材が釣用ケ−スに触れて傷つけることをカバ−体で防止した釣用ケ−スを提供することである。【解決手段】  ケ−ス本体１の開口部１ｃは蓋体３で開閉自在に覆われている。  ケ−ス本体１の側部１ａの両側にはＤ環からなる係合部材４、４が取り付けられている。  ショルダ−ベルト５の両端にナス環からなる係止部材６、６が取り付けられて係合部材４、４と係止部材６、６は着脱自在に係合され、係合部材４、４や係止部材６、６は金属や硬質の合成樹脂で形成されている。  係合部材４、４の外側の一部と係止部材６、６の外側はカバ−体７、７で覆われてカバ−体７は柔軟性を有する合成樹脂や皮革で筒状に形成されて係止部材６、６を包み込むように形成されている。【選択図】        図１
2008271855.tif 000002
【特許請求の範囲】
【請求項１】
ショルダ−ベルトの両端に係止部材を設けてケ−ス本体に設けた係合部材と着脱自在に係合する釣用ケ−スにおいて、前記係止部材と前記係合部材が前記ケ−ス本体に当たらないようにするカバ−体を少なくとも前記ケ−ス本体と前記ショルダ−ベルトの何れか一方に設けたことを特徴とする釣用ケ−ス。
【発明の詳細な説明】
【技術分野】
【０００１】
本発明は、釣用ケ−スをショルダ−ベルトで携行する釣用ケ−スに関する。
【背景技術】
【０００２】
従来魚釣り用かご（釣用ケ−ス）を釣場に携行するには特許文献１のように、魚釣り用かごの側部に取り付けられた三角環に、ショルダ−ベルトに取り付けられたナス環を係合して肩からぶら下げるようにして携行している。
上記のように魚釣り用かごをショルダ−ベルトに取り付けられたナス環を三角環に係合して携行すると、金属や硬質の合成樹脂で形成されたナス環が魚釣り用かごの縁に擦れて縁が損傷することになり、美観を損ねることになる。
【特許文献１】実開昭５５−９４７８２号公報
【発明の開示】
【発明が解決しようとする課題】
【０００３】
解決しようとする問題点は、ナス環が魚釣り用かごの縁に擦れて縁が損傷することになり、美観を損ねることである。
【０００４】
本発明の目的は前記欠点に鑑み、ショルダ−ベルトの両端に取り付けた係止部材が釣用ケ−ス本体に触れて傷つけることをカバ−体で防止した釣用ケ−スを提供することである。
【課題を解決するための手段】
【０００５】
本発明の請求項１は、ショルダ−ベルトの両端に係止部材を設けてケ−ス本体に設けた係合部材と着脱自在に係合する釣用ケ−スにおいて、前記係止部材と前記係合部材が前記ケ−ス本体に当たらないようにするカバ−体を少なくとも前記ケ−ス本体と前記ショルダ−ベルトの何れか一方に設けたことを要旨とするものである。
【発明の効果】
【０００６】
本発明により、ショルダ−ベルトを肩に掛けて釣場に携行する時に、係止部材が蓋体やケ−ス本体の開口部の縁に擦れる位置にあってもカバ−体で係止部材が覆われているので、蓋体やケ−ス本体が損傷することがなく、美観を損ねることがない。
【発明を実施するための最良の形態】
【０００７】
ケ−ス本体１の開口部１ｃは蓋体３で覆われ、ケ−ス本体１と蓋体３はヒンジ部で開閉自在に取り付けられたり、別体に形成して閉じるようになっている。
ケ−ス本体１の側部１ａの両側にはＤ環からなる係合部材４、４が取り付けられている。
ショルダ−ベルト５の両端にナス環からなる係止部材６、６が取り付けられて係合部材４、４と係止部材６、６は着脱自在に係合される。
Ｄ環からなる係合部材４、４やナス環からなる係止部材６、６は金属や硬質の合成樹脂で形成されている。
係合部材４、４の外側の一部と係止部材６、６の外側はカバ−体７、７で覆われてカバ−体７、７はショルダ−ベルト５または係止部材６、６に固定されたり、着脱自在に取り付けられている。
カバ−体７は柔軟性を有する合成樹脂や皮革で筒状に形成されて係止部材６、６を包み込むように形成されている。
【実施例１】
【０００８】
以下、図示の実施例によって本発明を説明すると、図１、図２は第１実施例で、図１は釣用ケ−スの斜視図、図２は釣用ケ−スの断面側面図である。
【０００９】
釣用ケ−スは、ケ−ス本体１が柔軟性を有する合成樹脂シ−トで形成された側部１ａと底部１ｂが一体的に高周波加熱処理の溶着接合されて略直方体状のケ−ス体に形成されたり、金型で略直方体状のケ−ス体に一体に形成されて、上方に開口部１ｃを有するケ−ス本体１を有している。
合成樹脂材料は、ＥＶＡ（エチレン酢酸ビニ−ル）、ＰＶＣ（ポリ塩化ビニ−ル）、ＰＥ（ポリエチレン）等防水性を有する材料が使用されている。
ケ−ス本体１の開口部１ｃはフレ−ム２を巻き込んで内側に折り返されてケ−ス本体１の開口部１ｃ近傍の内側のＡ部で溶着されると共に開口縁側の端部１ｄが内側に突出されている。
ケ−ス本体１の開口部１ｃは蓋体３で覆われ、ケ−ス本体１と蓋体３はヒンジ部で開閉自在に取り付けられたり、別体に形成して閉じるようになっている。
ケ−ス本体１の側部１ａの両側にはＤ環からなる係合部材４、４が取り付けられている。
ショルダ−ベルト５の両端にナス環（バネ片で開口が開閉可能に閉塞された環状体）からなる係止部材６、６が取り付けられて係合部材４、４と係止部材６、６は着脱自在に係合される。
Ｄ環からなる係合部材４、４やナス環からなる係止部材６、６は金属や硬質の合成樹脂で形成されている。
係合部材４、４の外側の一部と係止部材６、６の外側はカバ−体７、７で覆われて、カバ−体７、７はショルダ−ベルト５または係止部材６、６に固定されたり、ショルダ−ベルト５が挿通されて着脱自在に取り付けられている。
カバ−体７は柔軟性を有する合成樹脂や皮革で筒状に形成されて係止部材６、６を包み込むように形成されショルダ−ベルト５とケ−ス本体１の接合部に配されている。
【００１０】
釣用ケ−スを釣場に携行する時にはショルダ−ベルト５を肩に掛けて携行される。
この時ショルダ−ベルト５の両端の係止部材６、６は蓋体３やケ−ス本体１の開口部１ｃに擦れる位置に配置されるので、カバ−体７、７が無いと直接擦れることになるが、カバ−体７、７があると係止部材６、６が蓋体３やケ−ス本体１の開口部１ｃに直接接触することがない。
【００１１】
前記のように釣用ケ−スが構成されると、ショルダ−ベルト５を肩に掛けて釣場に携行する時に、係止部材６、６が蓋体３やケ−ス本体１の開口部１ｃの縁に擦れる位置にあってもカバ−体７、７で係止部材６、６が覆われているので、蓋体３やケ−ス本体１の開口部１ｃの縁が損傷することがなく、美観を損ねることがない。
【実施例２】
【００１２】
図３は第２実施例で、図３は釣用ケ−スの斜視図である。
【００１３】
釣用ケ−スのケ−ス本体１の側部１ａの両側にはカバ−体８、８を介在させてＤ環からなる係合部材４、４が取り付けられている。
カバ−体８、８は柔軟性を有する合成樹脂シ−トや皮革で平面状に形成されている。
カバ−体８、８は蓋体３の開閉の邪魔にならないように上方を外側に向けて鈎状に変形させてもよい。
ショルダ−ベルト５の両端にナス環からなる係止部材６、６が取り付けられて係合部材４、４と係止部材６、６は着脱自在に係合される。
他の構成は前記第１実施例と略同一である。
【００１４】
前記のように釣用ケ−スが構成されると、ショルダ−ベルト５を肩に掛けて釣場に携行する時に、係止部材６、６が蓋体３やケ−ス本体１の開口部１ｃに擦れる位置にあっても蓋体３やケ−ス本体１の開口部１ｃがカバ−体８、８で覆われているので、蓋体３やケ−ス本体１の開口部１ｃが損傷することがなく、美観を損ねることがない。
【実施例３】
【００１５】
図４、図５は第３実施例で、図４はショルダ−ベルトの一部と係合部材と係止部材とカバ−体の拡大正面図、図５はショルダ−ベルトの一部と係合部材と係止部材とカバ−体の拡大断面側面図である。
【００１６】
釣用ケ−スのケ−ス本体１の側部の両側にはカバ−体９、９を取り付けこのカバ−体９、９を介在させてＤ環からなる係合部材４、４が取り付けられている。
カバ−体９は柔軟性を有する合成樹脂シ−トや皮革で横に長い帯状に形成され、カバ−体９の両端の表裏にベルベットファスナ−１０、１１が固定されている。
他の構成は前記第１実施例と略同一である。
【００１７】
カバ−体９のベルベットファスナ−１０、１１はＤ環からなる係合部材４にショルダ−ベルト５の両端のナス環からなる係止部材６が係合された後にベルベットファスナ−１０、１１が係合され、カバ−体９の両端が重ねて閉じられる。
この時カバ−体９は筒状になってケ−ス本体１とショルダ−ベルト５の接合部の係止部材６、６や係合部材４、４を周回して覆う。
【００１８】
前記のように釣用ケ−スが構成されると、ショルダ−ベルト５を肩に掛けて釣場に携行する時に、係止部材６、６が蓋体３やケ−ス本体１の開口部１ｃに擦れる位置にあっても蓋体３やケ−ス本体１の開口部１ｃの位置にカバ−体９が配置されているので、蓋体３やケ−ス本体１の開口部１ｃが損傷することがなく、美観を損ねることがない。
また、ショルダ−ベルト５とケ−ス本体１の係止部材６、６や係合部材４、４に釣糸等が絡むことが防止される。
【産業上の利用可能性】
【００１９】
前記説明では、釣り用ケ−スの全般に利用できる。
【図面の簡単な説明】
【００２０】
【図１】第１実施例で、釣用ケ−スの斜視図である。
【図２】同釣用ケ−スの断面側面図である。
【図３】第２実施例で、釣用ケ−スの斜視図である。
【図４】第３実施例で、ショルダ−ベルトの一部と係合部材と係止部材とカバ−体の拡大正面図である。
【図５】同ショルダ−ベルトの一部と係合部材と係止部材とカバ−体の拡大断面側面図である。
【符号の説明】
【００２１】
１  ケ−ス本体
４  係合部材
５  ショルダ−ベルト
６  係止部材
７、８、９  カバ−体
【図１】
2008271855.tif 000003
【図２】
2008271855.tif 000004
【図３】
2008271855.tif 000005
【図４】
2008271855.tif 000006
【図５】
2008271855.tif 000007